(57)【要約】      （修正有）【課題】腕時計のバンドが環状のリング状バンドでも簡単かつ迅速に取り付けることができると共に陳列時、展示時に腕時計が不用意に動いてしまうのを阻止することができ、さらに腕時計を見栄え良く見せることができる腕時計陳列用取付体を提供する。【解決手段】腕時計陳列用取付体１０の第１立上プレート部１２の前方には第２立上プレート部２０が重なるように配設されている。この第２立上プレート部２０の前方には取付プレート部２８が湾曲して傾斜状態で配設されている。この取付プレート部２８には位置決め切欠部３０とバンド挿入部３２が形成されている。また、取付プレート部２８には上下方向に向かって開閉スリット３４が形成され、これにより取付プレート部２８には取付プレート第１片部２８Ａと取付プレート第２片部２８Ｂが形成されている。取付プレート部２８の一端には底面プレート部３８が連続形成されている。【選択図】図１
0003189884.tif 000002
【実用新案登録請求の範囲】
【請求項１】
第１立上プレート部と、この第１立上プレート部の一端に連続形成された第１差込部と、この第１差込部の一端に第１折曲線を介して連続形成された第２差込部と、この第２差込部の一端に連続形成された第２立上プレート部と、この第２立上プレート部の一端に第２折曲線を介して連続形成されると共に前記第２立上プレート部の前方に配設される取付プレート部と、この取付プレート部の他端に形成された位置決め切欠部と、前記取付プレート部の一端部に形成されたバンド挿入口と、前記取付プレート部に上下方向に向かって形成されると共に前記位置決め切欠部と前記バンド挿入口を連通する開閉スリットと、前記取付プレート部の一端に第３折曲線を介して連続形成された底面プレート部と、を有してなることを特徴とする腕時計陳列用取付体。
【請求項２】
第１立上プレート部と、この第１立上プレート部の一端に連続形成された第１差込部と、この第１差込部の一端に第１折曲線を介して連続形成された第２差込部と、この第２差込部の一端に連続形成された第２立上プレート部と、この第２立上プレート部の他端部に貫通形成された舌片差込孔と、前記第２立上プレート部の一端に第２折曲線を介して連続形成されると共に前記第２立上プレート部の前方に配設される取付プレート部と、この取付プレート部の他端に形成された位置決め切欠部と、前記取付プレート部の一端部に形成されたバンド挿入口と、前記取付プレート部に上下方向に向かって形成されると共に前記位置決め切欠部と前記バンド挿入口を連通する開閉スリットと、前記取付プレート部の一端に第３折曲線を介して連続形成された底面プレート部と、この底面プレートの一端に第４折曲線を介して連続形成された差込舌片と、を有してなることを特徴とする腕時計陳列用取付体。
【請求項３】
第１立上プレート部と、この第１立上プレート部の一端に連続形成された第１差込部と、この第１差込部の一端に第１折曲線を介して連続形成された第２差込部と、この第２差込部の一端に連続形成された第２立上プレート部と、この第２立上プレート部の他端部に貫通形成された舌片差込孔と、前記第２立上プレート部に形成された開口部と、前記第２立上プレート部の一端に第２折曲線を介して連続形成されると共に前記第２立上プレート部の前方に湾曲して傾斜状態で配設される取付プレート部と、この取付プレート部の他端に形成されると共に前記開口部と連続形成された位置決め切欠部と、前記取付プレート部の一端部に形成されたバンド挿入口と、前記取付プレート部に上下方向に向かって形成されると共に前記位置決め切欠部と前記バンド挿入口を連通する開閉スリットと、この開閉スリットを形成したことにより前記取付プレート部に形成された取付プレート第１片部、取付プレート第２片部と、前記取付プレート部の一端に第３折曲線を介して連続形成された底面プレート部と、この底面プレートの一端に第４折曲線を介して連続形成された差込舌片と、を有してなることを特徴とする腕時計陳列用取付体。
【請求項４】
第１立上プレート部と、この第１立上プレート部の一端に連続形成された第１差込部と、この第１差込部の一端に第１折曲線を介して連続形成された第２差込部と、この第２差込部の一端に連続形成された第２立上プレート部と、この第２立上プレート部の他端部に貫通形成された舌片差込孔と、前記第２立上プレート部の中間部から一端にかけて形成された開口部と、前記第２立上プレート部の一端に第２折曲線を介して連続形成されると共に前記第２立上プレート部の前方に湾曲して傾斜状態で配設される取付プレート部と、この取付プレート部の他端に形成されると共に前記開口部と連続形成された位置決め切欠部と、前記取付プレート部の一端部に形成された矩形状のバンド挿入口と、前記取付プレート部に上下方向に向かって形成されると共に前記位置決め切欠部と前記バンド挿入口を連通する開閉スリットと、この開閉スリットを形成したことにより前記取付プレート部に形成された取付プレート第１片部、取付プレート第２片部と、前記取付プレート部の一端に第３折曲線を介して連続形成された底面プレート部と、この底面プレートの一端に第４折曲線を介して連続形成された差込舌片と、前記第１立上プレート部の他端に第５折曲線を介して連続形成された天板プレート部と、この天板プレート部に形成された一対のスリットと、前記天板プレート部に第６折曲線を介して連続形成された係止片と、この係止片に貫通形成されたフック挿入開口部と、を有してなることを特徴とする腕時計陳列用取付体。
【請求項５】
少なくとも前記第１立上プレート部と前記第２立上プレート部と前記取付プレート部を透明体で形成したことを特徴とする請求項１、請求項２、請求項３、請求項４のいずれか１項に記載の腕時計陳列用取付体。
【考案の詳細な説明】
【技術分野】
【０００１】
本考案は、腕時計を陳列、展示する場合等に腕時計を立て掛けた状態で陳列、展示することができる腕時計陳列用取付体に関する。
【背景技術】
【０００２】
腕時計を陳列、展示する場合に使用される専用品として腕時計を立て掛けた状態で陳列、展示する腕時計陳列スタンドが提案されている（特許文献１）。
しかし、上記腕時計陳列スタンドは包装用ボックスに収容して使用するタイプのものでないため、腕時計を包装用ボックスに収容して陳列、展示する販売する場合は腕時計取付台紙に腕時計を取り付け、腕時計を取り付けた腕時計取付台紙を包装用ボックスに収容し、包装用ボックスを吊り下げる等して腕時計を陳列、販売している。
前記腕時計取付台紙は厚紙等で形成されると共に腕時計取付台紙の上部と下部に腕時計のバンドを挿入するバンド挿入開口部がそれぞれ形成されている。
このため腕時計のバンドが、第１バンドと第２バンドから構成されて第１バンドの先端に設けられたバックルに第２バンドの先端部を通して係止するタイプのバンドであれば腕時計を腕時計取付台紙に取り付けることができるが、バンドが環状のリング状バンドの場合は前記腕時計取付台紙に係止できない。
また、前記腕時計取付台紙では取り付けた腕時計が不用意に動いてしまう場合が多くあり、作業者が腕時計を陳列、展示した状態を維持できない場合が多くなり陳列、展示されている腕時計の見栄えが悪くなり、販売面から好ましくないという問題がある。
さらに、前記腕時計取付台紙は厚紙で形成されているので腕時計を腕時計取付台紙に取り付けた場合にバンドの大部分が腕時計取付台紙に隠れてしまい消費者は腕時計のバンドを見ることができなくなるという不具合がある。
【先行技術文献】
【特許文献】
【０００３】
【特許文献１】登録実用新案登録公報第３０９７５８７号
【考案の概要】
【考案が解決しようとする課題】
【０００４】
本考案は、上記事実に鑑みなされたものであり、腕時計のバンドが環状のリング状バンドでも簡単かつ迅速に取り付けることができると共に陳列時、展示時に腕時計が不用意に動いてしまうのを阻止することができ、さらに腕時計を見栄え良く見せることができる腕時計陳列用取付体を提供するものである。
【課題を解決するための手段】
【０００５】
請求項１の考案は、第１立上プレート部と、この第１立上プレート部の一端に連続形成された第１差込部と、この第１差込部の一端に第１折曲線を介して連続形成された第２差込部と、この第２差込部の一端に連続形成された第２立上プレート部と、この第２立上プレート部の一端に第２折曲線を介して連続形成されると共に前記第２立上プレート部の前方に配設される取付プレート部と、この取付プレート部の他端に形成された位置決め切欠部と、前記取付プレート部の一端部に形成されたバンド挿入口と、前記取付プレート部に上下方向に向かって形成されると共に前記位置決め切欠部と前記バンド挿入口を連通する開閉スリットと、前記取付プレート部の一端に第３折曲線を介して連続形成された底面プレート部と、を有してなることを特徴としている。
請求項２の考案は、第１立上プレート部と、この第１立上プレート部の一端に連続形成された第１差込部と、この第１差込部の一端に第１折曲線を介して連続形成された第２差込部と、この第２差込部の一端に連続形成された第２立上プレート部と、この第２立上プレート部の他端部に貫通形成された舌片差込孔と、前記第２立上プレート部の一端に第２折曲線を介して連続形成されると共に前記第２立上プレート部の前方に配設される取付プレート部と、この取付プレート部の他端に形成された位置決め切欠部と、前記取付プレート部の一端部に形成されたバンド挿入口と、前記取付プレート部に上下方向に向かって形成されると共に前記位置決め切欠部と前記バンド挿入口を連通する開閉スリットと、前記取付プレート部の一端に第３折曲線を介して連続形成された底面プレート部と、この底面プレートの一端に第４折曲線を介して連続形成された差込舌片と、を有してなることを特徴としている。
請求項３の考案は、第１立上プレート部と、この第１立上プレート部の一端に連続形成された第１差込部と、この第１差込部の一端に第１折曲線を介して連続形成された第２差込部と、この第２差込部の一端に連続形成された第２立上プレート部と、この第２立上プレート部の他端部に貫通形成された舌片差込孔と、前記第２立上プレート部に形成された開口部と、前記第２立上プレート部の一端に第２折曲線を介して連続形成されると共に前記第２立上プレート部の前方に湾曲して傾斜状態で配設される取付プレート部と、この取付プレート部の他端に形成されると共に前記開口部と連続形成された位置決め切欠部と、前記取付プレート部の一端部に形成されたバンド挿入口と、前記取付プレート部に上下方向に向かって形成されると共に前記位置決め切欠部と前記バンド挿入口を連通する開閉スリットと、この開閉スリットを形成したことにより前記取付プレート部に形成された取付プレート第１片部、取付プレート第２片部と、前記取付プレート部の一端に第３折曲線を介して連続形成された底面プレート部と、この底面プレートの一端に第４折曲線を介して連続形成された差込舌片と、を有してなることを特徴としている。
請求項４の考案は、第１立上プレート部と、この第１立上プレート部の一端に連続形成された第１差込部と、この第１差込部の一端に第１折曲線を介して連続形成された第２差込部と、この第２差込部の一端に連続形成された第２立上プレート部と、この第２立上プレート部の他端部に貫通形成された舌片差込孔と、前記第２立上プレート部の中間部から一端にかけて形成された開口部と、前記第２立上プレート部の一端に第２折曲線を介して連続形成されると共に前記第２立上プレート部の前方に湾曲して傾斜状態で配設される取付プレート部と、この取付プレート部の他端に形成されると共に前記開口部と連続形成された位置決め切欠部と、前記取付プレート部の一端部に形成された矩形状のバンド挿入口と、前記取付プレート部に上下方向に向かって形成されると共に前記位置決め切欠部と前記バンド挿入口を連通する開閉スリットと、この開閉スリットを形成したことにより前記取付プレート部に形成された取付プレート第１片部、取付プレート第２片部と、前記取付プレート部の一端に第３折曲線を介して連続形成された底面プレート部と、この底面プレートの一端に第４折曲線を介して連続形成された差込舌片と、前記第１立上プレート部の他端に第５折曲線を介して連続形成された天板プレート部と、この天板プレート部に形成された一対のスリットと、前記天板プレート部に第６折曲線を介して連続形成された係止片と、この係止片に貫通形成されたフック挿入開口部と、を有してなることを特徴としている。
請求項５の考案は、少なくとも前記第１立上プレート部と前記第２立上プレート部と前記取付プレート部を透明体で形成したことを特徴としている。
【考案の効果】
【０００６】
本考案の腕時計陳列用取付体は、腕時計のバンドが環状のリング状バンドであっても腕時計を簡単かつ迅速に取り付けることができるという優れた効果を有する。
本考案の腕時計陳列用取付体は、腕時計のバンドを位置決め切欠部で位置決めすると共に時計バンドを第１立上プレート部又は第２立上プレート部の少なくとも一方と当接した状態で取り付けられるので、腕時計が不用意に動いてしまうことを阻止できるという優れた効果を有する。
請求項３、請求項４、請求項５の腕時計陳列用取付体は、上記優れた効果の他に取付プレート部が湾曲して傾斜状態に配設されるため、腕時計を陳列、展示した場合にあたかも腕時計を腕に取り付けたような状態で腕時計を見せることができると共に腕時計の見栄えを向上させることができるという優れた効果を有する。
請求項５の腕時計陳列用取付体は、上記優れた効果の他に腕時計の時計本体だけでなく腕時計のバンドも見易いという優れた効果を有する。
【図面の簡単な説明】
【０００７】
【図１】実施例の腕時計陳列用取付体の全体斜視図である。
【図２】実施例の腕時計陳列用取付体の正面図である。
【図３】実施例の腕時計陳列用取付体の背面図である。
【図４】実施例の腕時計陳列用取付体の縦断面図である。
【図５】実施例の腕時計陳列用取付体の展開図である。
【図６】実施例の腕時計陳列用取付体の使用状態を示す斜視図である。
【図７】実施例の腕時計陳列用取付体に腕時計を立て掛けた状態で取り付けた斜視図である。
【図８】実施例の腕時計を取り付けた腕時計陳列用取付体を容器ボックスに収容した状態の斜視図である。
【考案を実施するための形態】
【０００８】
考案を実施するために最良の形態の例として以下のような実施例を示す。
【実施例１】
【０００９】
図１〜図８には本考案に係る腕時計陳列用取付体１０の一実施例が示されている。なお、この実施例に示す腕時計１は時計本体２に環状のリング状バンド３（図７、図８参照）が設けられた腕時計１を取り付ける場合を例にして説明する。
【００１０】
実施例の腕時計陳列用取付体１０は透明な合成樹脂材で形成された肉厚の薄いプレートを折り曲げることにより形成されている。
図５には前記腕時計陳列用取付体１０が展開図で示されている。この腕時計陳列用取付体１０の中間部には矩形状の第１立上プレート部１２が形成されている。この第１立上プレート部１２の一端には第１差込部１４が連続形成されている。この第１差込部１４の一端には第１折曲線１６を介して第２差込部１８が連続形成されている。
【００１１】
図１に示されるように、この第１差込部１４と第２差込部１８は重なった状態で腕時計陳列用取付体１０が立設した状態で取り付けられる図６に示された腕時計陳列用取付体立設スタンド４の差込部５に差し込むことができるようになっている。この腕時計陳列用取付体立設スタンド４は紙製で立方体状の台部４Ａと垂直部４Ｂが設けられている。
【００１２】
図５に示されるように、前記第２差込部１８の一端には第２立上プレート部２０が連続形成されている。
図１に示されるように、この第２立上プレート部２０は前記第１立上プレート部１２の前面に当接して設けられるようになっている。
【００１３】
図５に示されるように、前記第２立上プレート部２０の他端部には長円状の舌片差込孔２２が貫通形成されている。また、第２立上プレート部２０の中間部から一端にかけては矩形状の開口部２４が形成されている。
前記第２立上プレート部２０の一端には第２折曲線２６を介して取付プレート部２８が連続形成されている。
【００１４】
図１及び図４に示されるように、この取付プレート部２８は前記第２立上プレート部２０の前方に傾斜状態で配設されるようになっている。
図５に示されるように、前記取付プレート部２８の他端には位置決め切欠部３０が形成されている。この位置決め切欠部３０は前記開口部２４と連続形成されている。
また、前記取付プレート部２８の一端部には矩形状のバンド挿入口３２が貫通形成されている。前記取付プレート部２８の幅方向中央には上下方向に向かって開閉スリット３４が形成され、前記位置決め切欠部３０と前記バンド挿入口３２は開閉スリット３４で連通されている。
【００１５】
図１に示されるように、この開閉スリット３４を形成することにより、前記取付プレート部２８には取付プレート第１片部２８Ａと取付プレート第２片部２８Ｂが形成されている。従って、取付プレート部２８の中央部を押すと開閉スリット３４が開いて取付プレート第１片部２８Ａと取付プレート第２片部２８Ｂが離間するようになっている。
【００１６】
図５に示されるように、前記取付プレート部２８の一端には第３折曲線３６を介して略Ｔ字状の底面プレート部３８が連続形成されている。この底面プレート３８の一端には第４折曲線４０を介して差込舌片４２が連続形成されている。この差込舌片４２は前記舌片差込孔２２に差し込むことができるようになっている。
【００１７】
図４に示されるように、この差込舌片４２は前記舌片差込孔２２に挿入された状態で折曲線４０を介して上方に折り曲げられ前記第１立上プレート部１２と第２立上プレート部２０に挟まれた状態で係止、固定されるようになっている。
また、前記差込舌片４２が前記第１立上プレート部１２と第２立上プレート部２０に挟まれた状態で係止、固定されると、前記取付プレート部２８は湾曲して傾斜状態となる。
【００１８】
図５に示されるように、前記第１立上プレート部１２の他端には第５折曲線４４を介して天板プレート部４６が連続形成されている。この天板プレート部４６には一対のスリット４８，４８が形成されている。また、天板プレート部４６には第６折曲線５０を介して係止片５２が連続形成されている。
【００１９】
図１に示されるように、この係止片５２は第６折曲線５０を介して上方に折り曲げることができるようになっている。前記係止片５２にはフック挿入開口部５４が貫通形成され、図示しないフック等を挿入できるようになっている。
【００２０】
次に、実施例の腕時計陳列用取付体１０を透明な包装用ボックス６に収容して腕時計１を陳列、展示する場合を例にして腕時計陳列用取付体１０の作用を説明する。
【００２１】
最初に腕時計陳列用取付体１０を図１に示す状態に組み立てて腕時計１のリング状バンド３を腕時計陳列用取付体１０の取付プレート部２８の中央部に押し付けると共に指で取付プレート部２８の取付プレート第１片部２８Ａと取付プレート第２片部２８Ｂが離間するように開閉スリット３４を開く。
前記リング状バンド３が開閉スリット３４を通過すると取付プレート第１片部２８Ａと取付プレート第２片部２８Ｂが弾性復帰して開閉スリット３４が閉じられる。
これにより、腕時計１は腕時計陳列用取付体１０に取り付けられる。
【００２２】
次に、腕時計１を取り付けた腕時計陳列用取付体１０を腕時計陳列用取付体立設スタンド４に取り付ける場合は腕時計陳列用取付体１０の第１差込部１４と第２差込部１８を腕時計陳列用取付体立設スタンド４に形成された差込部５に差し込む。
これにより、図７に示されるように腕時計陳列用取付体１０は腕時計陳列用取付体立設スタンド４によって安定した状態で立設状態を維持することができる。
【００２３】
そして、包装用ボックス６の天蓋部７を開けて腕時計１が取り付けられた腕時計陳列用取付体１０が立設された腕時計陳列用取付体立設スタンド４を包装用ボックス６に収容する。
前記腕時計陳列用取付体立設スタンド４を包装用ボックス６に収容したら、係止片５２を包装用ボックス６の天蓋部７に貫通形成された貫通孔７Ａから突出させると共に天蓋部７を閉じる。これにより、図８に示されるように腕時計１は包装用ボックス６に収容される。
包装用ボックス６に収容された腕時計１を吊下げた状態で陳列、展示する場合は前記係止片５２のフック挿入開口部５４に図示しないフック等を挿入することにより包装用ボックス６を吊下げることができる。
【００２４】
従って、腕時計１を腕時計陳列用取付体１０に取り付ける場合は腕時計１のリング状バンド３を取付プレート部２８の中央部に押し付けると共に指で取付プレート部２８の取付プレート第１片部２８Ａと取付プレート第２片部２８Ｂが離間するように開閉スリット３４を開くだけで簡単かつ迅速にリング状バンド３を有する腕時計１を取り付けることができる。
【００２５】
前記腕時計陳列用取付体１０に取り付けられた腕時計１はリング状バンド３が腕時計陳列用取付体１０の位置決め切欠部３０に位置すると共にバンド挿入口３２に挿入された状態になるので、リング状バンド３は位置決め切欠部３０とバンド挿入口３２によって左右方向の自由な動きを阻止される。
また、前記腕時計陳列用取付体１０に取り付けられた腕時計１リング状バンド３は第１立上プレート部１２と当接することにより自由な動きを阻止される。
従って、腕時計１が腕時計陳列用取付体１０に取り付けられると腕時計１は左右方向及び上下方向、前後方向に自由に動くことを阻止される。
この結果、作業者が腕時計１を腕時計陳列用取付体１０に取り付けた状態を維持することができるので、陳列、展示されている腕時計１が不用意に動いて見栄えが悪くなることが無いので消費者が腕時計１を見にくくなることがなく、販売面からもマイナスになることを防止することができる。
また、腕時計１が直接取り付けられる前記取付プレート部２８は湾曲して傾斜状態に配設されているため、腕時計１を陳列、展示した場合は消費者に対してあたかも腕時計１を腕に取り付けたような状態で腕時計１を見せることができ、腕時計１の見栄えを一段と向上させることができる。
【００２６】
さらに、腕時計１を前記腕時計陳列用取付体１０に取り付けても腕時計陳列用取付体１０は透明であるため、時計本体２だけでなくリング状バンド３もよく見えるので消費者が腕時計１を見たり購入する場合に腕時計１をよく観察することができる。
【００２７】
なお、実施例では前記第２立上プレート部２０に開口部２４を大きく開口形成して腕時計１を腕時計陳列用取付体１０に取り付けた場合に腕時計１リング状バンド３が第１立上プレート部１２と当接して腕時計１の自由な動きを阻止したが、前記開口部２４を小さく開口形成して腕時計１を腕時計陳列用取付体１０に取り付けた場合に腕時計１リング状バンド３が第２立上プレート部２０と当接して腕時計１の自由な動きを阻止するようにしてもよいことは勿論である。
【００２８】
また、実施例では腕時計１を包装用ボックス６に収容して陳列、展示する場合を示したが、腕時計１を取り付けた腕時計陳列用取付体１０を腕時計陳列用取付体立設スタンド４に立設した状態（図７に示す状態）で腕時計１を陳列、展示してもよいことは勿論である。
【００２９】
また、実施例では腕時計１を包装用ボックス６に収容して陳列、展示する場合の例として腕時計１を腕時計陳列用取付体１０に取り付けて腕時計陳列用取付体１０を腕時計陳列用取付体立設スタンド４に立設してから包装用ボックス６に収容する場合を示したが、腕時計１を腕時計陳列用取付体１０に取り付ける手順や包装用ボックス６に収容して陳列、展示する手順は実施例で示した手順に限定されるものでないことは勿論である。
【産業上の利用可能性】
【００３０】
本考案の腕時計陳列用取付体１０は、包装用ボックスに収容しないでも使用することができる。
【符号の説明】
【００３１】
１０    腕時計陳列用取付体
１２    第１立上プレート部
１４    第１差込部
１６    第１折曲線
１８    第２差込部
２０    第２立上プレート部
２２    舌片差込孔
２４    開口部
２６    第２折曲線
２８    取付プレート部
２８Ａ  取付プレート第１片部
２８Ｂ  取付プレート第２片部
３０    位置決め切欠部
３２    バンド挿入口
３４    開閉スリット
３６    第３折曲線
３８    底面プレート部
４０    第４折曲線
４２    差込舌片
４４    第５折曲線
４６    天板プレート部
４８    スリット
５０    第６折曲線
５２    係止片
５４    フック挿入開口部
【図１】
0003189884.tif 000003
【図２】
0003189884.tif 000004
【図３】
0003189884.tif 000005
【図４】
0003189884.tif 000006
【図５】
0003189884.tif 000007
【図６】
0003189884.tif 000008
【図７】
0003189884.tif 000009
【図８】
0003189884.tif 000010